(57)【要約】【課題】断熱板をその側縁で支持でき、かつ適宜な弾性力を得ることができると共に嵩張ることがなく、しかも断熱板を支持させる際に容易に撓んで断熱板の下面を傷つける虞もない断熱板保持具を提供すること。【解決手段】平行に並べた角材１に係止され、前記角材１，１間に配設される断熱板２を受け止める断熱板保持具であって、前記角材１の上面１ａおよび側面１ｂに添設される上部片１１および側部片１２を有する係止部１３と、該係止部１３を前記角材１に係止する係止手段１６，１７と、前記側部片１２の下部から前記角材１の側面１ｂに沿って上方へ延設され、前記角材１の側面１ｂに沿って撓む舌片１５とを備えた断熱板保持具１０とした。【選択図】　　　図２
2004036312.tif 000002
【特許請求の範囲】
【請求項１】
平行に並べた角材に係止され、前記角材間に配設される断熱板を受け止める断熱板保持具であって、前記角材の上面および側面に添設される上部片および側部片を有する係止部と、該係止部を前記角材に係止する係止手段と、前記側部片の下部から前記角材の側面に沿って上方へ延設され、前記角材の側面に沿って撓む舌片とを備えたことを特徴とする断熱板保持具。
【請求項２】
上記側部片の下部に、上記断熱板の配設空間方向に向けて張出し片を展設し、該張出し片に上記舌片の基端を連接したことを特徴とする、請求項１記載の断熱板保持具。
【請求項３】
上記係止手段が、先端に尖った爪を有する凸片を上記係止部から角材方向に向けて突出させて構成したものであることを特徴とする、請求項１又は２記載の断熱板保持具。
【請求項４】
上記係止手段が、上記係止部に設けられた条片であり、該条片の先端を上記係止部から角材方向に向けて折り曲げ、その先端に尖った爪を形成して構成したものであることを特徴とする、請求項１又は２記載の断熱板保持具。
【請求項５】
上記係止手段が、上記係止部からの切起し加工によって形成されていることを特徴とする、請求項３又は４記載の断熱板保持具。
【請求項６】
上記係止手段の幅方向断面を、弧状に形成したことを特徴とする、請求項３，４又は５記載の断熱板保持具。
【請求項７】
上記舌片の幅方向中央部に、リブを形成したことを特徴とする、請求項１又は２記載の断熱板保持具。
【請求項８】
上記係止部，係止手段，舌片及び張出し片を、１枚の金属板から型取りし、それを折り曲げることによって形成したことを特徴とする、請求項２記載の断熱板保持具。
【発明の詳細な説明】
【０００１】
【発明の属する技術分野】
本発明は、断熱板保持具に関するもので、特には、木造建築における根太或いは大引等の角材間に配置される断熱板を保持するのに適した断熱板保持具に関するものである。
【０００２】
【従来の技術】
木造建築における根太或いは大引等の角材間に配置される断熱板は、角材に係止された断熱板保持具によって保持される。
このような断熱板保持具としては、例えば、特開平６−５７９３２号公報に開示されたものがある。
この断熱板保持具は、根太の上面および側面に添設される取付部と、該取付部の両脚部下端から斜め上方に突き出して形成した支持片とを有し、該支持片に断熱板を載置させるものである。
そして、この断熱板保持具では、支持片を相手方根太方向に突出させ、その先端で断熱板を支持すると共に、支持片の撓みによる弾性力を利用して断熱板を上方に付勢し、断熱板の上部に配置される床下地板等に断熱板を密接させるようにしている。
【０００３】
【発明が解決しようとする課題】
しかしながら、上述した構造の断熱板保持具では、適宜な撓みによる弾性力が得られるように支持片を長いものとすると、支持片が両側に大きく張り出した大形の断熱板保持具となり、保管及び運搬時等に嵩張ると共に、断熱板を側縁から離れた位置で支持することになり、断熱板の支持が不安定になる虞がある。
【０００４】
また、支持片の撓み方向は、根太の側面と直交する方向であるため、支持片上に断熱板を支持させる際、支持片を撓み方向に変位させる力が掛けづらく、支持片が撓み難いため、支持片の先端で断熱板の下面を傷つける虞もあった。
【０００５】
本発明は、上述した事情に鑑みてなされたもので、その目的は、断熱板をその側縁で支持でき、かつ適宜な弾性力を得ることができると共に嵩張ることがなく、しかも断熱板を支持させる際に容易に撓んで断熱板の下面を傷つける虞もない断熱板保持具を提供することにある。
【０００６】
【課題を解決するための手段】
本発明の断熱板保持具は、平行に並べた角材に係止され、前記角材間に配設される断熱板を受け止める断熱板保持具であって、前記角材の上面および側面に添設される上部片および側部片を有する係止部と、該係止部を前記角材に係止する係止手段と、前記側部片の下部から前記角材の側面に沿って上方へ延設され、前記角材の側面に沿って撓む舌片とを備えたことを特徴としている。
【０００７】
この発明の断熱板保持具は、係止手段によって係止部が角材、例えば根太、大引に係止され、断熱板の板厚に関係なく該断熱板の下面を舌片で受け止め、且つ舌片の撓みによる弾性力によって断熱板を上方へ付勢する。
しかも、この発明の断熱板保持具によれば、舌片が角材、例えば根太、大引の側面に沿って延設され、該根太、大引の側面に沿って撓むものとしているため、舌片はその長さに関係なく、常に断熱板の側縁を支持することとなり、最適な弾性力でかつ安定して断熱板を支持することができると共に、舌片が側方に大きく張り出すことがなく、嵩張らない断熱板保持具となる。
さらに、舌片の撓み方向は、上述したように角材、例えば根太、大引の側面に沿った方向であるため、該舌片上に断熱板を支持させる際、断熱板を根太、大引の側面に沿って移動させる等の手段により、容易に舌片を撓ませることができ、断熱板の下面を傷つける虞のない断熱板保持具となる。
【０００８】
この発明の断熱板保持具は、鉄板等の金属材料によって形成すれば、加工が容易であるため好ましいが、合成樹脂等の他の材料であってもよい。
また、上記係止部の形状は、上部片の両端から側部片がそれぞれ延設されたコ字形であることが好ましいが、上部片の一方端から側部片を延設させたＬ字形であってもよい。
さらに、この発明の断熱板保持具は、根太、大引等の床を形成する角材のみならず、壁を形成する柱、間柱等にも装着でき、この場合には、上記「角材の上面」とは、「柱、間柱の前面」を意味することとなり、上記「側部片の下部から前記角材の側面に沿って上方へ」とは、「側部片の後部から柱、間柱の側面に沿って前方へ」を意味することとなる。
なお、上記した「柱、間柱の前面」とは、柱、間柱に、この発明の断熱板保持具の上部片が取付けられる面を意味するが、通常は柱、間柱の室内側の面である。従って、上記した「側部片の後部から柱、間柱の側面に沿って前方へ」とは、「柱、間柱の前面」が柱、間柱の室内側の面である場合には、「側部片の室外側部から柱、間柱の側面に沿って室内側へ」を意味することとなる。
【０００９】
また、上記発明において、上記側部片の下部に、上記断熱板の配設空間方向に向けて張出し片を展設し、該張出し片に上記舌片の基端を連接させれば、舌片の幅方向の剛性を高めることができると共に、この張出し片の存在により、断熱材をこれ以上先には押し込めない状態にできる。
【００１０】
また、上記発明において、上記係止部、即ち上部片または側部片に、先端に尖った爪を有する凸片をそれらの片から角材方向に向けて突出させて係止手段を構成すれば、爪を角材（根太、大引等）に突き刺すことによって断熱板保持具を係止することができ、係止作業が容易である。
なお、上記係止手段を上部片に形成した場合には、断熱板保持具を上方から角材に装着させると同一動作で爪を角材に突き刺すことができるが、上記係止手段を側部片に形成した場合には、側部片を開いた状態で角材に装着させ、その後に側部片を角材の側面に押しつけることによって爪を側面に食い込ませる必要がある。
【００１１】
また、上記発明において、上記係止部、即ち上部片または側部片に、条片を形成すると共に、該条片の先端を角材方向に向けて折り曲げ、その先端に尖った爪を形成して構成すれば、係止部を角材（根太、大引等）に装着した状態で、条片を押し込むことによって、爪を角材に突き刺し、それによって断熱板保持具を係止することができ、係止作業が容易であるばかりでなく、断熱板保持具を正確な位置に係止させることができる。
【００１２】
また、上記係止手段である凸片および条片を、上記係止部、即ち上部片または側部片からの切起し加工によって形成すれば、それらを別体に形成して溶接等によって設置することなく、安価な断熱板保持具が得られる。
【００１３】
また、上記発明において、上記係止手段である凸片および条片の幅方向断面を弧状に形成すれば、それらの長手方向の剛性を高めることができ、これによって断熱板保持具を薄い材料で構成することが可能となり、それだけ安価になる。
【００１４】
また、上記発明において、上記舌片の幅方向中央部にリブを形成すれば、舌片の長手方向の剛性を高めることができ、これによってもまた断熱板保持具を薄い材料で構成でき、それだけ安価になる。
【００１５】
更に、断熱板保持具の上記係止部，係止手段，舌片及び張出し片を、１枚の金属板から型取りし、それを折り曲げることによって形成、即ち、板金加工によって形成すれば、さらに安価に断熱板保持具を得ることができる。
【００１６】
【発明の実施の形態】
以下、上記した本発明に係る断熱材保持具の一実施の形態を、図面を示して詳細に説明する。
【００１７】
図１は、本発明に係る断熱板保持具を大引に取り付けた状態を示した斜視図、図２は、本発明に係る断熱板保持具を示した斜視図、図３は、図２におけるＡ部の係止手段を拡大して示したもので、図３（ａ）は斜視図，図３（ｂ）はＣ−Ｃ線断面図である。また図４は、図２におけるＢ部の係止手段を拡大して示したもので、図４（ａ）は斜視図，図４（ｂ）はＤ−Ｄ線断面図である。
【００１８】
この断熱板保持具１０は、図１に示したように、平行に並べた大引１に係止されて使用されるもので、図２に示したように、大引１の上面１ａに添設される上部片１１と、大引１の両側面１ｂ，１ｂに添設される側部片１２，１２とによってコ字状の係止部１３が形成されている。そして、前記側部片１２の下部に、断熱板２の配設空間方向、即ち大引１の側面１ｂに対して上下方向かつ垂直方向の面を形成してなる張出し片１４が連接され、該張出し片１４の上端から大引１の側面１ｂに沿って上方へ延び、その基端１５ａにおいて大引１の側面１ｂに沿って折り曲げ可能な舌片１５が連接されている。そして、この断熱板保持具１０では、上記した上部片１１，側部片１２，張出し片１４及び舌片１５が、１枚の金属板から型取りされ、それを折り曲げ加工等によって一体に形成されている。
【００１９】
また、この断熱板保持具１０では、上部片１１に切起し加工によって４つの凸片１６が形成され、該凸片１６の先端に尖った爪１６ａが形成されている。この凸片１６は、図３（ａ）に示したように、上部片１１の内方、即ち大引１の上面１ａに向けて垂直に折り曲げられており、その幅方向断面（Ｃ−Ｃ線断面）が、図３（ｂ）に示したように湾曲を成している。
【００２０】
また、この断熱板保持具１０では、図４（ａ）に拡大して示したように、側部片１２の上部に切起し加工によって２本の条片１７が形成されている。それらの条片１７のうちの一方は先端を上方へ向けて形成され、他方は先端を下方へ向けて形成されている。そして、それらの条片１７の先端部は略直角に内方、即ち大引１の側面１ｂに向けて折り曲げられ、先端に尖った爪１７ａを形成している。また、この条片１７は、図４（ｂ）に示したように、その幅方向断面（Ｄ−Ｄ線断面）が湾曲を成している。
【００２１】
また、この断熱板保持具１０の舌片１５は、図２に示したように、先端部に下方に湾曲する湾曲部１５ｂを有しており、さらに幅方向中央部にリブ１５ｃが形成されている。このリブ１５ｃは、舌片１５の基端１５ａにおける折り曲げ剛性を高めるため、図２において二点鎖線で示したように、張出し片１４にまで達するリブとしても良い。
更に、この断熱板保持具１０の上部片１１には、同じく図２に示したように、２本のプレス等により形成された線状の薄肉部１８，１８が形成され、該薄肉部１８において上部片１１が容易に切断でき、種々の太さの角材、或いは隅部に位置する角材に対応しできるように成っている。
【００２２】
このように形成された断熱板保持具１０は、図１に示したように、互いに平行に設置された大引１，１に適宜な間隔をもって、それらの大引１を跨ぐように係止部１３を装着され、上部片１１が大引１の上面１ａに添設され、側部片１２，１２が大引１の側面１ｂ，１ｂに添設される。この状態においては、凸片１６の爪１６ａが大引１の上面１ａに突き刺さり、上部片１１が大引１の上面１ａに係止される。次いで、条片１７を打ち込み、その爪１７ａを大引１の側面１ｂに突き刺して、側部片１２を大引１の側面１ｂに係止する。
【００２３】
このようにして断熱板保持具１０を大引１，１に適宜な間隔をもって設置したならば、それらの舌片１５上に断熱板２を載置し、その後に大引１，１上に床下地板３等を載置して、該床下地板３等を大引１に固定する。
【００２４】
上記作業において、断熱板２を舌片１５上に載置する場合、舌片１５は大引１の側面１ｂに沿って上方に延設され、大引１の側面１ｂに沿って撓む構成となっているため、図５に示したように、例えば断熱板２を大引１の側面１ｂに沿って移動させることにより、舌片１５を容易に撓ませることができ、断熱板２の下面を傷つけることはない。
【００２５】
また、このようにして設置された断熱板２は、図６に示したように、その板厚に関係なく側縁下面が断熱板保持具１０の舌片１５で受止められ、該舌片１５の撓みによる弾性力によって上方へ付勢されるため、上面が床下地板３等に密接される。
【００２６】
なお、上記実施の形態では、大引１，１間に断熱板２を設置する場合を示したが、大引間ばかりでなく、本発明の断熱板保持具は、根太間、更には壁，天井等を形成する角材、例えば柱或いは間柱等の間に断熱板を設置する場合にも適用でき、この場合には、本発明の断熱板保持具によって保持した断熱板は、内装下地板等に密着させられることとなる。
【００２７】
【発明の効果】
以上、説明した本発明に係る断熱板保持具では、係止手段によって係止部が角材、例えば根太、大引に係止され、断熱板の板厚に関係なく該断熱板の下面を舌片で受け止め、且つ舌片の撓みによる弾性力によって断熱板を上方へ付勢し、床下地材等に断熱板を密着させることができる効果がある。
しかも、この発明の断熱板保持具によれば、舌片が角材、例えば根太、大引の側面に沿って延設され、該根太、大引の側面に沿って撓むものとしているため、舌片はその長さに関係なく、常に断熱板の側縁を支持することとなり、最適な弾性力でかつ安定して断熱板を支持することができると共に、舌片が側方に大きく張り出すことがなく、嵩張らない断熱板保持具となる効果がある。
さらに、この発明の断熱板保持具によれば、舌片の撓み方向は、上述したように角材、例えば根太、大引の側面に沿った方向であるため、該舌片上に断熱板を支持させる際、断熱板を根太、大引の側面に沿って移動させる等の手段により、容易に舌片を撓ませることができ、断熱板の下面を傷つける虞のない断熱板保持具となる効果がある。
【図面の簡単な説明】
【図１】本発明に係る断熱板保持具を大引に取り付けた状態を示した斜視図である。
【図２】本発明に係る断熱板保持具を示した斜視図である。
【図３】図２におけるＡ部を拡大して示したもので、図３（ａ）はその斜視図であり、図３（ｂ）はＣ−Ｃ線断面である。
【図４】図２におけるＢ部を拡大して示したもので、図４（ａ）はその斜視図であり、図４（ｂ）はＤ−Ｄ線断面である。
【図５】本発明に係る断熱板保持具に断熱板を保持させる作業を示した側面図である。
【図６】本発明に係る断熱板保持具に断熱板を保持させた状態を示した側面図である。
【符号の説明】
１　　　大引（角材）
１ａ　　上面
１ｂ　　側面
２　　　断熱板
３　　　床下地板
１０　　断熱板保持具
１１　　上部片
１２　　側部片
１３　　係止部
１４　　張出し片
１５　　舌片
１５ａ　基端
１５ｂ　湾曲部
１５ｃ　リブ
１６　　凸片
１６ａ　爪
１７　　条片
１７ａ　爪
１８　　薄肉部
【図１】
2004036312.tif 000003
【図２】
2004036312.tif 000004
【図３】
2004036312.tif 000005
【図４】
2004036312.tif 000006
【図５】
2004036312.tif 000007
【図６】
2004036312.tif 000008